(57)【要約】【課題】一戸建てやマンションなどの主として家庭で栽培を行う場合において、小型で低コストでありかつ火災の心配のないビニールハウスの空調方法を提供すること。【解決手段】植物の栽培のために屋外に独立して設置されたビニールハウスの内部のハウス空間の空調方法であって、送風機３２を用い、ビニールハウス１１が設置された場所の近傍にある屋内の居住空間６２の空気を、ダクト３１を介してビニールハウス１１に設けた流入口２４からビニールハウス１１の内部のハウス空間ＨＫに流入させるとともに、流入した空気によりハウス空間ＨＫに空気の流れを形成し、ビニールハウス１１に設けた排気口２５から空気を外部に排出する。【選択図】図１
2018174816.tif 000002
【特許請求の範囲】
【請求項１】
植物の栽培のために屋外に独立して設置されたビニールハウスの内部のハウス空間の空調方法であって、
送風機を用い、前記ビニールハウスが設置された場所の近傍にある屋内の居住空間の空気を、ダクトを介して前記ビニールハウスに設けた流入口から前記ビニールハウスの内部のハウス空間に流入させるとともに、流入した空気により前記ハウス空間に空気の流れを形成し、前記ビニールハウスに設けた排気口から空気を外部に排出する、
ことを特徴とする植物の栽培のためのビニールハウスにおける空調方法。
【請求項２】
前記居住空間における暖房のために当該居住空間に設置された暖房装置を駆動し、当該居住空間の暖房を行う、
請求項１記載の植物の栽培のためのビニールハウスにおける空調方法。
【請求項３】
前記流入口を前記ビニールハウスの下部に設け且つ前記排気口を前記ビニールハウスの上部に設け、前記ハウス空間において下から上へ向かう空気の流れを形成する、
請求項１または２に記載の植物の栽培のためのビニールハウスにおける空調方法。
【請求項４】
前記居住空間と屋外空間とを仕切る外壁に設けた貫通孔に前記ダクトの一端を接続し、前記ダクトの他端を前記送風機の吸気側に接続し、前記送風機の排気側を前記流入口に接続し、前記送風機の駆動によって前記居住空間の空気を前記ハウス空間に流入させる、
請求項１ないし３のいずれかに記載の植物の栽培のためのビニールハウスにおける空調方法。
【請求項５】
前記居住空間と屋外空間とを仕切る外壁に設けた貫通孔に前記ダクトの一端を接続し、前記ダクトの他端を前記流入口に接続し、前記排気口に前記送風機の吸気側を直接的または間接的に接続し、前記送風機の駆動によって前記居住空間の空気を前記ハウス空間に流入させる、
請求項１ないし３のいずれかに記載の植物の栽培のためのビニールハウスにおける空調方法。
【請求項６】
前記ビニールハウスは、前記ハウス空間を仕切るフィルム状体が複数のフィルム層を形成し、前記複数のフィルム層の間に空気層が形成されている、
請求項１ないし５のいずれかに記載の植物の栽培のためのビニールハウスにおける空調方法。
【請求項７】
前記ビニールハウスはマンションのベランダに設置されており、
前記居住空間は、当該マンションにおいて前記ベランダに連設された部屋である、
請求項１ないし６のいずれかに記載の植物の栽培のためのビニールハウスにおける空調方法。
【請求項８】
植物の栽培のための空調機能付きビニールハウスであって、
屋外に独立して設置されるビニールハウスと、
送風機と、
ダクトと、を有し、
前記送風機によって、前記ビニールハウスが設置された場所の近傍にある屋内の居住空間の空気を、前記ダクトを介して前記ビニールハウスに設けた流入口から前記ビニールハウスの内部のハウス空間に流入させるとともに、流入した空気により前記ハウス空間に空気の流れを形成し、前記ビニールハウスに設けた排気口から空気を外部に排出するように動作する、
ことを特徴とする植物の栽培のための空調機能付きビニールハウス。
【請求項９】
植物の栽培のための空調機能付きビニールハウスキットであって、
組み立てることによって屋外に独立して設置されるビニールハウスを構成するビニールハウス組み立て体と、
送風機と、
ダクトと、を有し、
組み立てられたときに、前記送風機によって、前記ビニールハウスが設置された場所の近傍にある屋内の居住空間の空気を、前記ダクトを介して前記ビニールハウスに設けた流入口から前記ビニールハウスの内部のハウス空間に流入させるとともに、流入した空気により前記ハウス空間に空気の流れを形成し、前記ビニールハウスに設けた排気口から空気を外部に排出するように動作することが可能である、
ことを特徴とする植物の栽培のための空調機能付きビニールハウスキット。
【請求項１０】
前記ビニールハウス組み立て体は、
前記ハウス空間に配置されるプランターの上方空間を囲う骨組みを形成するための骨組み部材と、
前記骨組みの外周面を覆うことによって前記ハウス空間を仕切るフィルム状体と、
を有する、
請求項９記載の植物の栽培のための空調機能付きビニールハウスキット。
【請求項１１】
前記骨組みは、略直方体形状であって、その周囲の長さは上部よりも下部の方が短くなっており、
前記フィルム状体は、一方に開口部を有する袋状に形成された袋状体てあり、前記袋状体を前記開口部を下方にして前記骨組みの上方から被せることによって、当該骨組みの上部および側部を覆うことが可能である、
請求項１０記載の植物の栽培のための空調機能付きビニールハウスキット。
【請求項１２】
前記開口部が前記プランターの側面に達し且つ前記開口部の周縁部を前記プランターの側面に沿わせて捲き付けた状態で、所定の固定部材で着脱可能に固定することが可能である、
請求項１１記載の植物の栽培のための空調機能付きビニールハウスキット。
【請求項１３】
前記ダクトは、その一端が前記居住空間と屋外空間とを仕切る前記外壁に設けた貫通孔に接続され且つその他端が前記送風機の吸気側に接続されるものであり、
前記送風機は、その排気側が前記ビニールハウスに設けた流入口に接続されるものである、
請求項９ないし１２のいずれかに記載の植物の栽培のための空調機能付きビニールハウスキット。
【請求項１４】
前記ダクトは、その一端が前記居住空間と屋外空間とを仕切る前記外壁に設けた貫通孔に接続され且つその他端が前記流入口に接続されるものであり、
前記送風機は、その吸気側が前記ビニールハウスに設けた排気口に直接的または間接的に接続されるものである、
請求項９ないし１２のいずれかに記載の植物の栽培のための空調機能付きビニールハウスキット。
【請求項１５】
前記ハウス空間における上部に開口し且つ前記ハウス空間を通って前記ビニールハウスの下部に至り、前記ビニールハウスの下部から外部に引き出されて外部において開口する、排気ダクトを有する、
請求項９ないし１４のいずれかに記載の植物の栽培のための空調機能付きビニールハウスキット。
【発明の詳細な説明】
【技術分野】
【０００１】
本発明は、主として家庭で植物の栽培のためのビニールハウスにおける空調方法、空調機能付きビニールハウス、および空調機能付きビニールハウスキットに関する。
【背景技術】
【０００２】
従来より、郊外、農地、または一戸建てやマンションなどで、野菜や花などの栽培を気温の低い時期においても行うためにビニールハウスが用いられている。
【０００３】
ビニールハウスを用いた場合に、日中には温度がかなり上昇するが、夜になれば温度が低下してしまうので、これを補うために暖房することが必要となる。
【０００４】
そのような暖房装置として、電気ヒータ、ヒートポンプ式の暖房機、重油や木材を燃焼させる燃焼釜、地熱や太陽熱を利用する熱変換器などが種々提案されている（特許文献１〜２）。
【先行技術文献】
【特許文献】
【０００５】
【特許文献１】特開２００８−１１６１７８号公報
【特許文献２】実用新案登録第３１２２２９５号公報
【発明の概要】
【発明が解決しようとする課題】
【０００６】
上に述べた従来の暖房装置を用いる方法では、それなりの暖房効果は期待できるものの、装置が大がかりであるため大型化して設置面積を多くとり、しかもコスト高となる。また、火を使ったものは火災の心配があって安全性の点で注意が必要である。
【０００７】
したがって、家庭で野菜を栽培しようとした場合に、従来のビニールハウスの暖房装置を用いることには、場所的な面、コスト面、および安心面において躊躇せざるを得ないことが多かった。
【０００８】
家庭での栽培では、通常、大量生産を行って出荷するということは想定しておらず、極少量でよいから日々の食卓に新鮮な野菜を添えることができればという思いが強い。
【０００９】
したがって、例えば、ミニトマトを１年を通じてできるだけ収穫したいと考え、春から夏にかけての収穫に続いて秋口に発芽したミニトマトを育てようとした場合に、如何にして冬を越させるが問題となる。つまり、冬に気温が下がって例えば零下になると、ビニールハウス内の温度の零下またはそれに近い温度にまで下がってしまい、苗が枯れてしまい、栽培はそこで終了となってしまう。本格的な暖房装置を用いればミニトマトの生育のための環境を作ることはできるが、上に述べたように場所的な面、コスト面、および安心面において問題がある。
【００１０】
本発明は、上述の問題に鑑みてなされたもので、一戸建てやマンションなどの主として家庭で栽培を行う場合において、小型で低コストであり且つ火災の心配のない、植物の栽培のためのビニールハウスにおける空調方法、空調機能付きビニールハウス、および空調機能付きビニールハウスキットを提供することを目的とする。
【課題を解決するための手段】
【００１１】
本発明に係る実施形態の空調方法は、植物の栽培のために屋外に独立して設置されたビニールハウスの内部のハウス空間の空調方法であって、送風機を用い、前記ビニールハウスが設置された場所の近傍にある屋内の居住空間の空気を、ダクトを介して前記ビニールハウスに設けた流入口から前記ビニールハウスの内部のハウス空間に流入させるとともに、流入した空気により前記ハウス空間に空気の流れを形成し、前記ビニールハウスに設けた排気口から空気を外部に排出する。
【００１２】
好ましくは、前記居住空間における暖房のために当該居住空間に設置された暖房装置を駆動し、当該居住空間の暖房を行う。
【００１３】
また好ましくは、前記流入口を前記ビニールハウスの下部に設け且つ前記排気口を前記ビニールハウスの上部に設け、前記ハウス空間において下から上へ向かう空気の流れを形成する。
【００１４】
また好ましくは、前記居住空間と屋外空間とを仕切る外壁に設けた貫通孔に前記ダクトの一端を接続し、前記ダクトの他端を前記送風機の吸気側に接続し、前記送風機の排気側を前記流入口に接続し、前記送風機の駆動によって前記居住空間の空気を前記ハウス空間に流入させる。
【発明の効果】
【００１５】
本発明によると、居住空間の空気がビニールハウスのハウス空間に流入することによって、ハウス空間の温度が居住空間の温度よりも低い場合にはハウス空間が暖房され、その逆の場合にはハウス空間の過度の温度上昇が抑制される。また、ハウス空間に空気の流れを形成することによって、ハウス空間の温度が均一化されるとともに、湿度が過度に高くなることが抑制されて結露が防止され、カビの発生などが防止される。
【００１６】
このように、本発明によると、小型で低コストであり且つ火災の心配のない、植物の栽培のためのビニールハウスにおける空調方法、空調機能付きビニールハウス、および空調機能付きビニールハウスキットを提供することができる。
【図面の簡単な説明】
【００１７】
【図１】本発明に係る実施形態の空調方法を説明するための図である。
【図２】図１の要部を拡大して示す図である。
【図３】本発明に係る他の実施形態の空調方法を説明する図である。
【発明を実施するための形態】
【００１８】
図１には、本発明に係る実施形態の空調機能付きビニールハウス１が示され、図２には図１の要部が拡大して示されている。図１および図２を用いて、ビニールハウスの空調方法についても説明する。
【００１９】
図１において、空調機能付きビニールハウス１は、マンションＭＳのベランダ６３に設置されており、ビニールハウス１１および送風装置１２を備える。ベランダ６３には手摺り６４が設けられている。
【００２０】
ビニールハウス１１は、植物の栽培のためのプランター２１、プランター２１の上方空間を囲う骨組み２２（図２参照）、骨組み２２の外周面を覆うことによってハウス空間ＨＫを仕切るフィルム状体２３、フィルム状体２３の下部に設けられた流入口２４、および、フィルム状体２３の上部に設けられた排気口２５を有する。
【００２１】
なお、ビニールハウス１１は、ビニール製のハウスに限ることなく、栽培を行うための温室であればよい。
【００２２】
プランター２１は、合成樹脂、金属材料、または木材などからなり、内部に適当な量の培養土を収納可能である。底部には水抜きのための穴が設けられる。プランター２１として、公知の種々のものを利用することが可能である。プランター２１によって植物１０１が栽培される。
【００２３】
骨組み２２は、合成樹脂材料、金属材料、または木材などからなる種々の骨組み部材を組み立てることにより形成される。骨組み部材は、直線状、湾曲状、Ｌ字状、枠状、円形状などの種々の形状の棒状部材、連結部材、および固定部材などを含んで構成することが可能である。
【００２４】
本実施形態において、骨組み２２は略直方体形状であって、その周囲の長さは上部よりも下部の方が短くなっている。つまり、上方に向かって拡径した略直方体形状である。このような形状とすることにより、後で述べる袋状体に形成されたフィルム状体２３を被せやすくなる。
【００２５】
骨組み２２を構成する鉛直方向の骨組み部材の下端部を、プランター２１の中の培養土に差し込むことにより、骨組み２２とプランター２１とを連結することができる。また、プランター２１の外周縁部に複数の孔を設け、この孔に骨組み部材の下端部を差し込むことによって互いに連結してもよい。また、適当な連結部材を介して間接的に連結してもよい。また、骨組み２２の下端部がベランダ６３の上面に直接に当接するようにビニールハウス１１を載置し、骨組み２２の内側にプランター２１を配置してもよい。その場合に、プランター２１は、ベランダ６３に接するように配置してもよく、またベランダ６３に接することなく骨組み２２の上に載るように配置してもよい。
【００２６】
なお、骨組み２２の形状として、直方体形状の他、三角錐形状、六角錘形状、円柱形状、球面形状、その他の種々の形状とすることが可能である。
【００２７】
フィルム状体２３は、透明または半透明のビニールなどの合成樹脂材料によって百分の数ミリメ−トル乃至十分の１ミリメ−トル程度の厚さのフィルムに形成されたものである。本実施形態において、フィルム状体２３は、全体が袋状体に形成され、骨組み２２の上から全体を覆うように被せることが可能である。。
【００２８】
すなわち、本実施形態において、フィルム状体２３は、一方に開口部を有する袋状に形成された袋状体てあり、袋状体をその開口部を下方にして骨組み２２の上方から被せることによって、骨組み２２の上部および側部を覆うことが可能である。この場合に、フィルム状体２３において、袋状体の開口部がプランター２１の側面に達し且つ開口部の周縁部をプランター２１の側面に沿わせて捲き付けた状態で、所定の固定部材２６で着脱可能に固定することが可能である。つまり、袋状体は、その縦、横、深さの寸法が、骨組み２２およびプランター２１の外形寸法に対して十分に余裕を持った寸法としておけばよい。
【００２９】
さて、骨組み２２を、上に述べたように上方に向かって拡径した略直方体形状とすることにより、袋状体を被せる作業が容易となる。また、被せた後に、袋状体の開口部の周縁部が骨組み２２の外周よりも大きくなってこの間に余裕ができるので、開口部を上へ捲くり上げることにより、ハウス空間ＨＫのメンテナンスや植物１０１の観察、世話、および収穫のための作業が容易となる。
【００３０】
また、開口部の周縁部を後で述べる送風機３２またはダクト３１の排気側に巻き付け、適当な紐、テープ、バンドなどの固定部材で固定することにより、フィルム状体２３に孔を開けることなく流入口２４を形成し、ここからハウス空間ＨＫに空気を送り込むようにすることも可能である。このようにした場合には、送風機３２またはダクト３１と流入口２４との連結作業または着脱作業が容易であり、しかもフィルム状体２３の形状が単なる袋状体でよいことからコスト低減に寄与する。また、市販の適当なサイズのポリ袋またはビニ−ル袋などを袋状体として使用することが可能となるので、フィルム状体２３の入手および交換が容易となる。
【００３１】
なお、フィルム状体２３は、上に述べたように予め袋状体に形成しておく他、例えば、シート状体に形成しておき、シート状体のフィルム状体２３を骨組み２２の側面および上面に沿わせ、繋ぎ合わせることで袋状体を形成してもよい。また、フィルム状体２３が骨組み２２の底面をも覆うように、つまり骨組み２２の全周面を覆うようにしてもよい。
【００３２】
そして、フィルム状体２３の下方の周縁部を、プランター２１の側面に沿わせて捲き付ける。必要に応じて、捲き付けたフィルム状体２３の上から、紐、テープ、バンド、ゴムバンドなどの固定部材２６を捲き付けてプランター２１に固定すればよい。
【００３３】
また、図示は省略したが、フィルム状体２３の一部に一筋または二筋のファスナーなどを必要に応じて取り付け、ハウス空間ＨＫのメンテナンスや植物１０１の観察、世話、および収穫を行う際に開けることができるようにしておいてもよい。
【００３４】
なお、フィルム状体２３は一層であってもよいが、複数層であれば断熱効果が高まるのでより望ましい。すなわち、ビニールハウス１１は、ハウス空間ＨＫを仕切るフィルム状体２３が複数のシート層を形成し、複数のシート層の間に空気層が形成されるようにしてもよい。二層（二重）または三層（三重）以上のシート層を形成してもよい。フィルム状体２３として袋状体を用いる場合には、同じサイズの袋状体を二重または三重に被せることでもよい。
【００３５】
流入口２４は、後で述べる送風装置によってハウス空間ＨＫに空気を送り込むためのものであり、ここに送風機またはダクトの排気側の端部が挿入される。
【００３６】
排気口２５は、ハウス空間ＨＫの空気を外部に排出することによりハウス空間ＨＫに空気の流れを作るためのものである。排気口２５として、フィルム状体２３に孔を設けるだけでもよく、設けた孔の周縁を補強するように加工しておいてもよい。また、フィルム状体２３に設けられた孔に筒状体を挿入してフィルム状体２３の上から紐またはテープを捲いて固定することでもよい。排気口２５の外面に雨よけの蓋体を設けてもよい。
【００３７】
マンションＭＳは、ベランダ６３に連設された屋内の居住空間６２を有している。居住空間６２は、外壁６１によって屋外空間６５から仕切られており、空調装置６６、種々の家具類６７、６８が設置され、人が日常的に生活することが可能な部屋である。
【００３８】
外壁６１には、貫通孔６１ａが設けられている。貫通孔６１ａは、マンションＭＳの建設時において空調機器の配管などのために予め設けられたものを利用してもよく、または空調機能付きビニールハウス１の設置時などにおいて適当な位置に形成してもよい。ベランダ６３には、バルコニーおよびテラスなどが含まれる。
【００３９】
送風装置１２は、一端が貫通孔６１ａに連通するダクト３１、および、吸気側がダクト３１の他端に連通され排気側が流入口２４に連通された送風機３２を含む。
【００４０】
ダクト３１は、発泡ウレタン、または合成樹脂からなるクッション材などを円筒状に形成したものなど、断熱性を有する材料からなる筒状のものである。材料自体に通気性がある場合には、表面にアルミ蒸着や樹脂コーティングなどを行って通気性を遮断したものを用いればよい。ダクト３１は、その一端が外壁６１に設けられた貫通孔６１ａに挿入されて連通し、他端には送風機３２の吸気側が接続される。
【００４１】
なお、ダクト３１の内径は、通気に抵抗とならないように十分な大きさのあるものを用いるのがよい。例えば、ダクト３１の内径を、送風機３２の吸気側の接続口の外径に合わせればよい。また、ダクト３１の外径を貫通孔６１ａの内径と合わせれば接続が容易である。ダクト３１は、その経路が直線状のみではなく、設置場所に応じた経路に沿って這わせることができる。例えば、ダクト３１としてジャバラ状のホースを用い、外壁６１やベランダ６３の面に沿って配置してもよい。
【００４２】
送風機３２は、交流または直流の電源によって駆動され、吸気側から空気を吸い込み排気側から送り出す。送風機３２として、例えば、商用電源で動作する十〜数十ワット程度のブロワ、プロペラファン、換気扇、その他の適当なファン付きモータ、イオン風発生装置のようなファンレス送風機などを利用することが可能である。
【００４３】
また、送風機３２の高さ位置に応じて、送風機３２を支持するための支持台３３を設ければよい。支持台３３が無くても送風機３２の支持が可能である場合、またはダクト３１をベランダ６３の上面に沿って這わせて送風機３２をベランダ６３の上面に置くことができる場合などには、支持台３３は不要となる。
【００４４】
例えば、送風機３２をプランター２１の縁の上に載せることによって、送風機３２を支えることが可能であるので、支持台３３を省略しまたは簡略化することが可能である。この場合に、プランター２１の縁に載せた送風機３２の排気側の外周面にフィルム状体２３の下端を巻き付けて紐や粘着テープなどで固定することにより、フィルム状体２３に穴を設けることなく、ここを流入口２４として利用してハウス空間ＨＫに空気を送り込むことができる。こうすることにより、紐を解いてフィルム状体２３を捲くり上げ、ハウス空間ＨＫのメンテナンスや植物１０１の観察、世話、および収穫などの必要な作業を行うことができる。
【００４５】
なお、居住空間６２の外壁６１と送風機３２との間にダクト３１が介在することにより、送風機３２の振動が外壁６１に伝わることがなく、送風機３２を設けたことによる居住空間６２における騒音の発生が防止される。送風機３２と流入口２４との間に別のダクトを設けてもよい。
【００４６】
なお、図示は省略したが、送風機３２に電源を供給する電線、送風機３２の駆動をオンオフするスイッチなどを備えてもよい。また、送風機３２を駆動する時間を設定するためのタイマーを接続してもよい。例えば、夜間にのみ送風機３２を駆動するよう時間を設定しておけばよい。また、外部が暗くなったときにオンするセンサースイッチを備えてもよい。
【００４７】
送風機３２によって、居住空間６２の空気がダクト３１を介し、流入口２４からハウス空間ＨＫに送り込まれ、排気口２５から外部へ排気される。送風機３２の送風圧によって流入口２４からハウス空間ＨＫに送り込まれるので、これによってハウス空間ＨＫ内の圧力が外気よりも高まり、ビニールハウス１１が膨らみ加減となるので好ましい。ハウス空間ＨＫ内の空気は、排気口２５からの排気により、および／または、フィルム状体２３とプランター２１との間の隙間などから排気される。
【００４８】
なお、送風機３２を排気口２５に取り付け、ハウス空間ＨＫの空気を送風機３２によって吸い出し、これによって居住空間６２の空気をハウス空間ＨＫに送り込むようにしてもよい。
【００４９】
いずれにしても、空調機能付きビニールハウス１において、送風装置１２によって、ビニールハウス１１が設置された場所の近傍にある屋内の居住空間６２の空気を、ダクト３１を介してビニールハウス１１に設けた流入口２４からビニールハウス１１の内部のハウス空間ＨＫに流入させるとともに、流入した空気によりハウス空間ＨＫに空気の流れを形成し、ビニールハウス１１に設けた排気口２５から空気を外部に排出する。
【００５０】
流入口２４をビニールハウス１１の下部に設け且つ排気口２５をビニールハウス１１の上部に設けることにより、ハウス空間ＨＫにおいて下から上へ向かう空気の流れが形成される。
【００５１】
居住空間６２の空気がハウス空間ＨＫに流入することによって、ハウス空間ＨＫの温度が居住空間６２の温度よりも低い場合にはハウス空間ＨＫが暖房され、その逆の場合にはハウス空間ＨＫの過度の温度上昇が抑制される。また、ハウス空間ＨＫに空気の流れを形成することによって、ハウス空間ＨＫの温度が均一化されるとともに、湿度が過度に高くなることが抑制されて結露が防止され、カビの発生などが防止される。
【００５２】
また、主として冬季において、また気温が低いときや夜間などにおいて、居住空間６２における暖房のために、居住空間６２に設置された空調装置６６を駆動して暖房装置として用い、当該居住空間６２の暖房を行う。例えば、居住空間６２の室温を２０〜２５℃に維持しておく。これにより、居住空間６２での人の生活が快適になるとともに、暖かい空気がビニールハウス１１に送り込まれてハウス空間ＨＫの暖房が効率的に行われる。つまり、ハウス空間ＨＫにおいて、居住空間６２と類似の空調環境を持った空間が再現される。
【００５３】
本実施形態の空調機能付きビニールハウス１によると、植物の栽培のために屋外に独立して設置されたビニールハウス１１の空調、特に冬季における暖房を効率的に行うことができる。しかも、ビニールハウス１１における温度および湿度の過度の上昇を抑えることができる。空調機能付きビニールハウス１は、小型で低コストであり且つ火災の心配がない。
【００５４】
なお、ビニールハウス１１は、居住空間６２からは独立して屋外に設置された植物の栽培のためのものであり、サンルームとは異なる。
【００５５】
つまり、サンルームは、通常、人の生活空間として居住空間６２と一体的に連設されるものであり、且つ居住空間６２とサンルームとの間は人の往来が可能である。したがって、居住空間６２とサンルームとの間において、空気は双方向に移動する。また、冬季の昼間において、サンルームから居住空間６２に空気を移動させ、サンルーム内の空気によって居住空間６２を暖房するためにも利用される。
【００５６】
これに対し、空調機能付きビニールハウス１において、空気は、ダクト３１を介して居住空間６２からビニールハウス１１へ一方向にのみ流れる。ダクト３１は、適量の空気を流す適当な小径のものでよい。この空気の一方向の流れによって、ビニールハウス１１の暖房を行い、且つビニールハウス１１の温度と湿度の過度の上昇を抑える。
【００５７】
空調機能付きビニールハウス１におけるハウス空間ＨＫの暖房についてさらに説明する。
【００５８】
通常、日没後の居住空間６２の温度は屋外空間６５の温度よりも高い。したがって、日没後または夜間において、居住空間６２の空気をハウス空間ＨＫに送り込むことにより、ハウス空間ＨＫが暖房されて温度が上昇する。
【００５９】
その際に、ビニールハウス１１に送り込まれた空気により、ハウス空間ＨＫに空気の流れを形成し、空気の流れによって、ハウス空間ＨＫを暖房するとともに、当該ハウス空間ＨＫにおける温度または湿度が過度に高くなることを抑制する。
【００６０】
つまり、昼間の日照時においては、日照によってハウス空間ＨＫの温度が過度に高くなることがある。このような場合に、送風機３２によってハウス空間ＨＫに空気の流れを形成することにより、ハウス空間ＨＫの温度が過度に高くなることを抑制することができる。
【００６１】
また、一般に、ハウス空間ＨＫ内の湿度は灌水のために高くなる傾向にあり、フィルム状体２３の内周面、土、または植物１０１などにカビが発生する可能性がある。ハウス空間ＨＫに空気の流れを形成することによって、湿度が過度に高くなることを抑制して結露を防ぎ、乾燥が促進され、カビの発生を防止しまたは低減することが可能である。
【００６２】
また、居住空間６２に空調装置６６が設置されている場合に、それを暖房装置として駆動し、当該居住空間６２の暖房を行う。これによって、ハウス空間ＨＫの暖房が一層効果的となる。また、居住空間６２において快適な居住性を得るために暖房を行うことによって、付随的にハウス空間ＨＫの暖房が行われ、全体的なエネルギー効率が高い。
【００６３】
送風装置１２によって、ビニールハウス１１の下部に設けられた流入口２４からハウス空間ＨＫに空気を送り込み、ビニールハウス１１の上部に設けられた排気口２５から外部に空気を排出するので、ハウス空間ＨＫにおける温度が均一化する。
【００６４】
ビニールハウス１１の近傍の居住空間６２の空気を送風装置１２により送風して暖房を行うので、小型で低コストであり且つ火災の心配がない。
【００６５】
図３には、本発明に係る他の実施形態の空調方法を説明する図が示されている。なお、図３において、図１および図２の要素と同じ機能を有する要素には、同じ符号を付し且つ末尾に「Ｂ」を付して示すことがある。
【００６６】
図３において、暖房機能付きビニールハウス１Ｂは、マンションＭＳＢのベランダ６３Ｂに設置されており、ビニールハウス１１Ｂおよび送風装置１２Ｂを備える。
【００６７】
ビニールハウス１１Ｂはフィルム状体２３Ｂなどを有し、送風装置１２Ｂは連通するダクト３１Ｂおよび送風機３２Ｂなどを有する。ビニールハウス１１Ｂおよび送風装置１２Ｂは、それぞれ、図１で説明したビニールハウス１１および送風装置１２と同様な機能を備える。
【００６８】
ダクト３１Ｂは、は、空調機器の配管のために外壁６１Ｂに予め設けられた貫通孔６１ａに接続されている。送風装置１２Ｂには、レセプタクル（電源コンセント）３５に接続された電線３４によって電源が供給される。なお、電線３４を、外壁６１Ｂを貫通して居住空間６２Ｂに設けられたレセプタクルに接続してもよい。
【００６９】
屋内機６６ａと屋外機６６ｂからなる空調装置６６のうち、屋内機６６ａは居住空間６２Ｂに、屋外機６６ｂはベランダ６３Ｂに設置されている。空調装置６６を駆動することにより、居住空間６２Ｂの暖房が行われる。なお、空調装置６６は暖房のみを行うものであってもよい。
【００７０】
空調機能付きビニールハウス１Ｂにおいては、送風装置１１Ｂを用い、ビニールハウス１１Ｂが設置されたベランダ６３Ｂに連接する屋内の居住空間６２Ｂの空気を、ビニールハウス１１Ｂの内部のハウス空間ＨＫＢに送り込む。日没後や夜間の居住空間６２Ｂの温度は屋外空間６５Ｂの温度よりも高いので、居住空間６２Ｂの空気をハウス空間ＨＫＢに送り込むことにより、ハウス空間ＨＫＢが暖房されて温度が上昇する。
【００７１】
ハウス空間ＨＫＢに空気の流れが形成されるので、ハウス空間ＨＫにおける温度または湿度が過度に高くなることが抑制され、またハウス空間ＨＫにおける温度が均一化される。空調機能付きビニールハウス１Ｂにおいては、小型で低コストであり且つ火災の心配がない。
〔実施例〕
次に、空調機能付きビニールハウス１を作製してミニトマトを栽培する実験を行ったので、実施例として説明する。
【００７２】
幅約７０ｃｍ、奥行き約４０ｃｍ、深さ約２７ｃｍのプランター２１を用い、このプランター２１に培養土を深さ約２２ｃｍとなるよう収納した。直径約１６ｍｍの支柱などからなる骨組み部材を培養土中に上から差し込み、且つ支柱を水平方向および斜め方向に配置して結束バンドなどで互いに連結することによって、骨組み２２を作製した。骨組み２２は、上部が拡がり下部が細くなった直方体形状である。
【００７３】
フィルム状体２３として、縦２１０ｃｍ、横１６２ｃｍ、厚さ０．０６ｍｍの特大ポリ袋を用い、これを拡げて骨組み２２の上部から被せてビニールハウス１１を作製した。ビニールハウス１１の全高は約１８０ｃｍ、最上部の幅約７７ｃｍ、奥行き約４５ｃｍ、最下部の幅約６０ｃｍ、奥行き約３１ｃｍであった。
【００７４】
ビニールハウス１１の上部において、フィルム状体２３の一部を切り欠いて穴を開け、ここに直径約１４ｃｍのプラスチック製植木鉢の底を抜いたものを挿入し、フィルム状体２３の縁部を巻き付けた後に粘着テープで固定し、排気口２５とした。なお、ポリ袋の上部の角部を切り取ることによって適当な穴を開け、これを排気口２５としてもよい。
【００７５】
作製したビニールハウス１１およびプランター２１をマンションの東向きのベランダ６３に設置した。
【００７６】
なお、ビニールハウス１１の下部において、フィルム状体２３と骨組み２２との間に余裕があったので、後で述べるようにこの部分を送風機３２に巻き付けたり、ハウス空間ＨＫでの作業のための出し入れに利用することができた。
【００７７】
次に、縦３５ｃｍ、横８０ｃｍのスポンジのアルミロールマットを捲くことにより円筒状に形成して粘着テープで貼り合わせ、直径約１０ｃｍ、長さ８０ｃｍのダクト３１を作製した。ダクト３１の一端をマンションの外壁の貫通孔６１ａに挿入し、他端を、消費電力１５Ｗ、風量６５ｍ3 ／ｈの中間型の送風機（トイレ換気扇）３２の吸気側に接続し、周縁を粘着テープで留めた。送風機３２の排気側の外周面に、ビニールハウス１１のフィルム状体２３の下部の周縁部を巻き付け、その上から紐で捲いて留めれることにより、フィルム状体２３に流入口２４を作製し、且つ流入口２４と送風機３２の排気側との連結を行った。
【００７８】
ビニールハウス１１の内部の温度および湿度を計るため、培養土の上面から約５０ｃｍの位置に最高最低温度計を取り付けた。
【００７９】
プランター２１は、植物１０１として、夏の終わりに挿し芽分岐したミニトマトを植えておいたものである。ミニトマトは、２０１６年９月頃から実が付き始め、１０月には約１００個の青い実が成っていた。１１月６日に、それら青い実のうちの数個が赤くなったので、まだ青い実ができるだけ多く赤くなるよう成長させるために、このプランター２１の上に上述のビニールハウス１１を作製し、空調機能付きビニールハウス１として構成し、送風機３２を駆動して暖房を行った。
【００８０】
送風機３２は、常時において駆動し、夜間においては居住空間６２における暖房装置を運転した。これにより、居住空間６２の温度を常時約２０℃に保った。
【００８１】
送風機３２の駆動により、日没後におけるハウス空間ＨＫＢの温度が外気温よりも２〜５℃程度高く維持された。また日照時においては、送風機３２の駆動によるハウス空間ＨＫの空気の流れにより、ハウス空間ＨＫの温度および湿度が過度に上昇することが抑制された。例えば、送風機３２を駆動しないときにはビニールハウス１１の内面に結露する状態であったが、送風機３２の駆動によって結露が無くなった。
【００８２】
具体的な記録の例をあげると、１１月１０日の２３時において、外気温が９℃のときに、ビニールハウス１１の内部は１１℃であり、外気よりも約２℃高くなっていた。なお、同日において、朝日の当たる１０時前ころに最高気温２６℃を記録し、その後、ビニールハウス１１は日影に入った。
【００８３】
１１月２０日において、外気の最大湿度は９９％（計測最大値）であったが、ハウス空間ＨＫの内部の湿度は８８％であった。
【００８４】
１１月２０日から１２月３日の間において、ハウス空間ＨＫの内部の温度は１０〜３０℃、湿度は５５〜９０％で推移し、最低気温について外部と比較すると、ハウス空間ＨＫの内部の方が外部よりも約２℃高かった。
【００８５】
１２月２８日に、ポリ袋の縁部つまりフィルム状体２３の下部を捲くり上げてミニトマトの一部の赤い実を収穫した。
【００８６】
翌年の１月７日までにおけるハウス空間ＨＫの最低温度は６℃であった。
【００８７】
１月１４日、１５日には、夜間において、外気温がマイナス２℃となったが、ハウス空間ＨＫの内部は３℃であり、外気温よりも約５℃高く、零下になることはなかった。
【００８８】
２月８日において、ほぼ全部の実が赤くなったが、その後に徐々に果柄が折れていき、枯れ葉が目立ってきたので、３月２０日に、残った約５０個（８００ｇ）の赤い実の全部を収穫して実験を終えた。
【００８９】
今回の実験によって、空調機能付きビニールハウス１を使用することにより、マンションのベランダ６３において、プランター２１に植えたミニトマトを越冬させることができ、９月から翌年の３月までに渡って赤い実を適時収穫できることが分かった。
【００９０】
なお、上に述べた空調機能付きビニールハウス１，１Ｂは、空調機能付きビニールハウスキットを組み立てることによって作製することが可能である。そのような空調機能付きビニールハウスキットは、ビニールハウス１１，１１Ｂを構成するビニールハウス組み立て体と、送風機３２と、ダクト３１と、を有し、組み立てられたときに、送風機３２によって、ビニールハウス１１が設置された場所の近傍にある屋内の居住空間の空気を、ダクト３１を介してビニールハウス１１に設けた流入口２４からビニールハウス１１の内部のハウス空間ＨＫに流入させるとともに、流入した空気によりハウス空間ＨＫに空気の流れを形成し、ビニールハウス１１に設けた排気口２５から空気を外部に排出するように動作することが可能である。
【００９１】
ビニールハウス組み立て体は、ハウス空間ＨＫに配置されるプランター２１の上方空間を囲う骨組みを形成するための骨組み部材と、骨組みの外周面を覆うことによってハウス空間ＨＫを仕切るフィルム状体２３と、を有する。
【００９２】
ダクト３１は、その一端が貫通孔６１ａに接続され且つその他端が送風機３２の吸気側に接続されるものであり、送風機３２は、その排気側が流入口２４に接続されるものであってもよい。
【００９３】
また、ダクト３１は、その一端が貫通孔６１ａに接続され且つその他端が流入口２４に接続されるものであり、送風機３２は、その吸気側が排気口２５に直接的または間接的に接続されるものであってもよい。
【００９４】
また、上に述べたように、骨組み２２は、略直方体形状であって、その周囲の長さは上部よりも下部の方が短くなっており、フィルム状体２３は、一方に開口部を有する袋状に形成された袋状体てあり、袋状体を開口部を下方にして前記骨組みの上方から被せることによって、当該骨組みの上部および側部を覆うことが可能である。
【００９５】
このような構成とすることにより、ビニールハウス１１およびビニールハウス組み立て体の構造が簡単となり且つ軽量となり、組み立て作業やメンテナンス作業が容易となり、しかも低コストとなる。
【００９６】
また、開口部がプランター２１の側面に達し且つ開口部の周縁部をプランター２１の側面に沿わせて捲き付けた状態で、所定の固定部材で着脱可能に固定することが可能である。
【００９７】
また、ハウス空間ＨＫにおける上部に開口し且つハウス空間ＨＫを通ってビニールハウス１１の下部に至りビニールハウス１１の下部から外部に引き出されて外部において開口する、排気ダクトを有してもよい。このような排気ダクトは、変形可能なように合成樹脂などで作製されたホースであってもよい。例えばジャバラ状のホースでもよい。排気ダクトのハウス空間ＨＫ内における開口部から空気が流入し、排気ダクトの外部における開口部から空気が排出される。
【００９８】
この場合に、排気ダクトのいずれか一方の開口部に、送風機３２を取り付けるようにしてもよい。つまり、排気ダクトのハウス空間ＨＫにおける開口部または外部における開口部に送風機３２を取り付ける。また、排気ダクトの中間に送風機３２を取り付けてもよい。排気ダクトのハウス空間ＨＫにおける開口部が、ハウス空間ＨＫ内の空気を外部に導くという排気口２５の役目を果たす。
【００９９】
なお、この場合には、送風機３２を流入口２４に取り付ける必要がなくなる。また、送風機３２をハウス空間ＨＫ内に配置すれば、送風機３２に雨がかからない。送風機３２をビニールハウス１１内の下部に配置すれば安定である。送風機３２をプランター２１の縁部や骨組み２２などに取り付けるようにすると、送風機３２の支持が容易であり、安定する。その場合に、プランター２１または骨組み２２に送風機３２を支持する機構を設けておけばよい。
【０１００】
排気ダクトを用いることにより、ハウス空間ＨＫの空気を上部から外部に排気することができる。排気ダクトのハウス空間ＨＫ内における開口部の位置を変えることにより、ハウス空間ＨＫにおける空気の流れを調整することができ、栽培する植物１０１の種類または成長に応じて最適の空気の流れを作り、最も望ましい空調環境を実現することが可能である。しかも、フィルム状体２３の上部に穴を開ける必要がない。この場合に、骨組み２２に、排気ダクトを種々の位置で支持する機構を設けておけばよい。排気ダクトを複数個設けてもよい。
【０１０１】
空調機能付きビニールハウスキットを組み立てることによって、空調機能付きビニールハウス１，１Ｂとして完成される。この場合に、ビニールハウス組み立て体、ダクト３１，３１Ｂ、送風機３２，３２Ｂなどは、種々の部品によって構成することができる。また、部品を互いに連結しまたは固定するためのバンド、ゴムバンド、紐、テープ、粘着テープ、ネジなどの固定具などをキットに含めておくことも可能である。
【０１０２】
上に述べた実施形態では、空調機能付きビニールハウス１，１ＢをマンションＭＳＢのベランダ６３Ｂに設置したが、一戸建てなどの住居の周辺の地面、庭、ポ−チ、ベランダ、ウッドデッキなどに設置してもよい。
【０１０３】
上に述べた実施形態において、流入口２４をビニールハウス１１の一箇所に設けたが、ビニールハウス１１の複数箇所に設けてもよい。また、複数設けた流入口２４のうちから使用する流入口２４を選択可能とし、または流入口２４の位置を移動可能としてもよい。流入口２４および排気口２５の位置を種々可変することにより、ハウス空間ＨＫにおける空気の流れを調整して最適の空調環境を実現することが可能である。
【０１０４】
上に述べた実施形態において、ビニールハウス１１，１１Ｂ、送風装置１２，１２Ｂ、空調機能付きビニールハウス１，１Ｂの全体または各部の構成、構造、形状、寸法、個数、材質、配置などは、本発明の主旨に沿って適宜変更することができる。
【符号の説明】
【０１０５】
１，１Ｂ  空調機能付きビニールハウス
１１，１１Ｂ  ビニールハウス
１２，１２Ｂ  送風装置
２１  プランター
２２  骨組み
２３  フィルム状体
２４  流入口
２５  排気口
２６  固定部材
３１  ダクト
３２  送風機
６１  外壁
６１ａ  貫通孔
６２  居住空間
６３  ベランダ
ＨＫ  ハウス空間
【図１】
2018174816.tif 000003
【図２】
2018174816.tif 000004
【図３】
2018174816.tif 000005